(57)【要約】      （修正有）【課題】ひざを保護しひざの屈伸時の安定を図り容易にするためのサポーターを提供する。【解決手段】強力な伸縮性のある包帯状のものの中央をひざの下側に当て、両端を斜め上に引っ張りひざ裏で交差させ前に回し、その両端をひざの上側で面ファスナーにより固定できる長さにし、その包帯状の中央の、ひざ下側に当てる部分から  両サイドひざ横までの間を、上からもう一枚同じ素材のものを縫い付け、二重にして強度を持たせると同時に、二重にした二枚の間に、ひざを保護するためのパットを挿入できるようにする。【選択図】図１−１
0003163055.tif 000002
【実用新案登録請求の範囲】
【請求項１】
ひざを保護しひざの屈伸時の安定を図り容易にするためのサポーターで、強力な伸縮性のある包帯状のものの中央をひざの下側に当て、両端を斜め上に引っ張りひざ裏で交差させ前に回し、その両端をひざの上側で面ファスナーにより固定できる長さにし、その包帯状の中央の、ひざ下側に当てる部分から  両サイドひざ横までの間を、上からもう一枚同じ素材のものを縫い付け、二重にして強度を持たせると同時に、二重にした二枚の間に、ひざを保護するためのパットを挿入できるようにするのを特徴とする、ひざ用サポーター。
【請求項２】
ひざを保護しひざの屈伸時の安定を図り容易にするためのサポーターで、強力な伸縮性のある包帯状のものの中央をひざの下側に当て、両端を斜め上に引っ張りひざ裏で交差させ前に回し、その両端をひざの上側で面ファスナーにより固定できる長さにし、その包帯状の中央の、ひざ下側に当てる部分から  両サイドひざ横までの間を、上からもう一枚同じ素材のものを縫い付け、二重にして強度を持たせると同時に、二重にした二枚の間に、ひざを保護するためのパットを挿入できるようにする、その保護用パットは、ひざ下側の湾曲に沿うように曲線の形にして、素材は外側は不織布を使い、中に入れるクッションは、衝撃を吸収するのとひざに密着させるのを目的とするシリコンシートを使用するのを特徴とする、ひざ保護用パット。
【考案の詳細な説明】
【技術分野】
【０００１】ひざ用サポーターを、装着が簡単にできるようにするために、１本のサポーターをひざに１回まわすだけで装着できるようにした。また１本のサポーターだけで効果が増すよう部分的に二重にするのと、ひざ当てパットを使用する。
【背景技術】
【０００２】ひざ保護用パットは、薄くても効果があるように、中のクッションにシリコンシートを使用することで衝撃吸収させるとともに、ひざ下ラインに密着させることでパット効果を増幅させることができる。
【考案の開示】
【考案が解決しようとする課題】
【０００３】立ち仕事やひざの屈伸頻度が高い仕事、また歩行・家事等でのひざへの負担により、ひざを痛めてしまい屈伸時等に不安を感じたり、しゃがむと立つのが辛くなってしまう・立っている時や歩行時にひざがガクついて不安定になってしまう、等々  ひざに関する悩みは多い。故に、ひざ痛は加齢によるものだけでなく、職業等でのひざの酷使によるものも多いので、一種の職業病のようにも感じられる。そこで仕事中とか生活活動の中でのひざへの衝撃や負担を軽減するためのサポーターを考案した。これはひざの痛みの中でも特にひざ下側への衝撃や激痛を軽減するためのもので、ひざ下をピンポイントで保護をして、ひざ周りがかさばると生活活動に支障をきたすので装備を少なくし、装着が簡単にできるよう考案したサポーターである。
【課題を解決するための手段】
【０００４】ひざへの負担を軽減するには、ひざ関節のリフトアップと固定が必要となる。ひざ頭のリフトアップはひざを下側から上へ引き上げるようにし、固定はひざ全体を締めるようにするとよい。その二つの動作を合わせて、強力な伸縮性のある素材の包帯状のものの中央部をひざ下側に当て、両サイドを斜め上に引き上げ、ひざ裏に回し交差させてひざの上側で両端を面ファスナーで固定すると、ひざのリフトアップと固定が可能となる。さらに、ひざの下側から両サイドひざ横までの間を同じ素材で二重に縫製すると、強度が増してより一層の効果を得ることができる。またその二重にした二枚の布の間にひざ保護用パットを挿入することでひざへの衝撃を吸収でき、尚且つリフトアップ・固定を強力にすることができる。その保護用パットは、ひざの下側のラインに沿ってカーブさせた形にすることで、装着時ひざへのフィット感をもたせ、ひざをがっちりと下支えし保護することができる。また保護パットは厚みがあると装着時衣服へひびくので、薄くても効果があるように、外側は不織布を使い中のクッションは衝撃吸収とひざへの密着性を持たせるために、薄めのシリコンシートを使用する。
【考案の効果】
【０００５】ひざの悩みはひざの下側に多く、ひざ下をどうケアするかに重点を置き解決を試みた。ひざをサポーターで何重にも巻くのは効果があるが、屈伸の時ひざ裏がかさばり動作がし辛いので、一度巻くだけで効果的な方法として、ひざ下部分からひざ両横までを二重にして縫製することで強度を持たせサポーターを二重に巻いた効果を得るようにした。また、強力な伸縮性のある素材を使用することで締め付け効果があり、二重の縫製の間に保護用パットを入れひざ下に当てることより、ピンポイントでひざ下をカバーすることができ、仕事中もひざへの不安を軽減することができる。
【考案を実施するための最良の形態】
【０００６】強力な伸縮性のあるサポーターの幅は、ひざ周りのかさばりを防ぐためにもあまり幅広でない方が好ましいが、体型足の太さによっても異なる。平均的足の太さとして５〜６センチメートル位が巻きやすい。ひざ下から両ひざ横までの二重にする部分は、縫い目が肌に当たらないよう上から重ね縫製する。また、ひざ保護用パットの幅はサポーターより少し出るくらいにして、出し入れを楽にしておく。パットの厚さは極力薄くして、硬さも硬過ぎないようにし、装着時ひざにフィットするように仕上げる。パットのひざ下ラインに沿ってのカーブは、サポーターの二重になった部分に挿入し面ファスナーで固定して、サポーターを斜めに引き上げひざ裏に回した時、パットがサポーターの中に納まるようになる。また、パットありでも無しでもひざの状態により使い分けできる。
【実施例】
【０００７】このサポーターは、仕事中装着しても衣服へひびきにくくかさばらないので動作がしやすい。また１本のサポーターを巻くだけなので装着が簡単である。なによりもひざ下へピンポイントだから余分な装備がなくシンプルでよい。
【図面の簡単な説明】
【０００８】
【図１−１】ひざ用サポーター装着図  正面・側面
【図１−２】ひざ保護用パット
【図面の符号の説明】
【０００９】ａ    サポーター本体
ｂ    サポーターを止める面ファスナー
ｃ    ひざ中央から両ひざ横までの二重に縫い付ける部分
ｄ    ひざ保護用パット
ｅ    パットのひざの下側の湾曲に沿った曲線
ｆ    パット脱落防止のための面ファスナー
【図１−１】
0003163055.tif 000003
【図１−２】
0003163055.tif 000004
【手続補正書】
【提出日】平成22年7月8日(2010.7.8)
【手続補正１】
【補正対象書類名】実用新案登録請求の範囲
【補正対象項目名】全文
【補正方法】変更
【補正の内容】
【実用新案登録請求の範囲】
【請求項１】
ひざを保護しひざの屈伸時の安定を図り容易にするためのサポーターで、強力な伸縮性のある包帯状のものの中央をひざの下側に当て、両端を斜め上に引っ張りひざ裏で交差させ前に回し、その両端をひざの上側で面ファスナーにより固定できる長さにし、その包帯状の中央の、ひざ下側に当てる部分から  両サイドひざ横までの間を、上からもう一枚同じ素材のものを縫い付け、二重にして強度を持たせると同時に、二重にした二枚の間に、ひざを保護するためのパットを挿入できるようにするのを特徴とする、ひざ用サポーター。
【請求項２】
ひざを保護しひざの屈伸時の安定を図り容易にするためのサポーターで、強力な伸縮性のある包帯状のものの中央をひざの下側に当て、両端を斜め上に引っ張りひざ裏で交差させ前に回し、その両端をひざの上側で面ファスナーにより固定できる長さにし、その包帯状の中央の、ひざ下側に当てる部分から  両サイドひざ横までの間を、上からもう一枚同じ素材のものを縫い付け、二重にして強度を持たせると同時に、二重にした二枚の間に、ひざを保護するためのパットを挿入できるようにし、その保護用パットはひざ下側の湾曲に沿うように曲線の形にして、素材は外側は不織布を使い、中に入れるクッションは、衝撃を吸収するのとひざに密着させるのを目的とするシリコーンシートを使用したことを特徴とする、請求項１記載のひざ用サポーター。